(57)【要約】【課題】  テレビ番組を視聴中に、そのテレビ番組について他ユーザとつぶやき機能を利用した会話を効率的にできる番組視聴支援方法を提供する。【解決手段】  端末装置４を操作してテレビ番組視聴支援サーバ１０にアクセスを行い、テレビ番組視聴支援サーバ１０上で、例えば図３に示すような自らのユーザ番組表データを作成する。処理回路２５は、上記作成したユーザ番組表データを、予め登録している他のユーザに公開する。当該他のユーザは、当該ユーザ番組表データのユーザのフォロワーである。【選択図】  図４
2012034185.tif 000002
【特許請求の範囲】
【請求項１】
所定のユーザの番組視聴予定を示すユーザ番組表データを、ネットワークを介して予め登録している他ユーザに公開する公開工程と、
前記ユーザ番組表データを基に、前記ユーザが番組を視聴している時間帯に、前記予め登録している他ユーザからのコメントデータを受信すると、当該受信したコメントデータを表示する処理を行うコメント処理工程と
をコンピュータが実行する番組視聴支援方法。
【請求項２】
配信番組表データと、ユーザが興味の属性を示す属性データと、前記ユーザのスケジュールデータとを基に、当該ユーザの属性に合った番組を前記配信番組表データが示す配信番組のなかから特定する特定工程と、
前記特定工程で特定した番組を視聴することを当該ユーザの前記ユーザ番組表データに追加する番組表作成工程と
をさらに有する請求項１に記載の番組視聴支援方法。
【請求項３】
前記特定工程は、前記ユーザの属性に合った番組を、当該ユーザの空き時間に配信されるか否かを識別して特定を行い、
前記番組表作成工程は、前記ユーザの空き時間に配信される番組は当該空き時間に視聴することを示すように前記ユーザ番組表データに項目を追加し、前記ユーザの空き時間以外に配信される番組は前記空き時間に録画を視聴することを示すように前記ユーザ番組表データに項目を追加する
請求項２に記載の番組視聴支援方法。
【請求項４】
前記ユーザの属性に合った番組であって前記ユーザの空き時間以外に配信される番組を、その配信時間に録画する録画工程
をさらに有する請求項１に記載の番組視聴支援方法。
【請求項５】
前記コメント処理工程は、予め規定された前記他ユーザのランキング情報に基づいて、当該他ユーザのコメントデータの表示形態を決定する
請求項１に記載の番組視聴支援方法。
【請求項６】
前記コメント処理工程は、前記他ユーザの前記番組表データあるいは番組視聴履歴データに基づいて、当該他ユーザのコメントデータの表示形態を決定する
請求項１に記載の番組視聴支援方法。
【請求項７】
広告画像データを受信する工程と、
前記広告画像データに対してのコメントを受信する工程と、
前記広告画像データの閲覧回数に基づいて、前記広告画像データのランキングを決定するランキング決定工程と、
前記決定したランキングに基づいて、ウェブ画面の一部に設けられた無料広告欄を表示する広告画像を決定する決定工程と
を有する広告関連処理方法。
【請求項８】
前記決定工程は、前記ウェブ画面を表示しているユーザの属性データを取得し、当該属性データと、前記広告画像データの属性データと、前記決定したランキングとに基づいて、前記無料広告欄を表示する広告画像を決定する
請求項７に記載の広告関連処理方法。
【請求項９】
所定のユーザの番組視聴予定を示すユーザ番組表データを、ネットワークを介して予め登録している他ユーザに公開する公開手段と、
前記ユーザ番組表データを基に、前記ユーザが番組を視聴している時間帯に、前記予め登録している他ユーザからのコメントデータを受信すると、当該受信したコメントデータを表示する処理を行うコメント処理手段と
を有する番組視聴支援システム。
【請求項１０】
広告画像データを受信する手段と、
前記広告画像データに対してのコメントを受信する手段と、
前記広告画像データの閲覧回数に基づいて、前記広告画像データのランキングを決定するランキング決定手段と、
前記決定したランキングに基づいて、ウェブ画面の一部に設けられた無料広告欄を表示する広告画像を決定する決定手段と
を有する広告関連処理システム。
【発明の詳細な説明】
【技術分野】
【０００１】
本発明は、番組視聴支援方法、広告関連処理方法およびそれらのシステムに関するものである。
【背景技術】
【０００２】
テレビ番組等を視聴中に、ツイッター機能を利用して同じ番組を見ている他ユーザとつぶやき機能を利用した会話ができれば便利である。
また、ウェブ画面上の広告欄には様々な広告画像・動画が表示されるが、これらは広告主が支払う広告費用に応じて表示されているものがほとんどであり、ユーザの評判とは無関係である。
【発明の概要】
【発明が解決しようとする課題】
【０００３】
しかしながら、従来では、他ユーザがどのような番組を見ているかが分からないため、ツイッター機能を利用して同じ番組を見ている他ユーザとつぶやき機能を利用した会話が効率的に行うことができないという問題がある。
また、広告主が支払う広告費とは無関係に、広告動画自体に価値があるものが高い広告効果を発揮できる仕組みがあると新たな市場を作れる可能性がある。
【０００４】
本発明はかかる事情に鑑みてなされたものであり、その目的は、テレビ番組を視聴中に、そのテレビ番組について他ユーザとつぶやき機能を利用した会話を効率的に行うことができる番組視聴支援方法およびそのシステムを提供することにある。
また、本発明は、ユーザの評価が高い魅力的な広告画像・動画が、広告費用とは無関係にユーザの目に触れる機会が増えることを可能にする広告関連処理方法およびそのシステムを提供することを目的とする。
【課題を解決するための手段】
【０００５】
上述した目的を達成するために本発明の番組視聴支援方法は、所定のユーザの番組視聴予定を示すユーザ番組表データを、ネットワークを介して予め登録している他ユーザに公開する公開工程と、前記ユーザ番組表データを基に、前記ユーザが番組を視聴している時間帯に、前記予め登録している他ユーザからのコメントデータを受信すると、当該受信したコメントデータを表示する処理を行うコメント処理工程とをコンピュータが実行する。
【０００６】
好適には、本発明の番組視聴支援方法は、配信番組表データと、ユーザが興味の属性を示す属性データと、前記ユーザのスケジュールデータとを基に、当該ユーザの属性に合った番組を前記配信番組表データが示す配信番組のなかから特定する特定工程と、前記特定工程で特定した番組を視聴することを当該ユーザの前記ユーザ番組表データに追加する番組表作成工程とをさらに有する。
好適には、本発明の番組視聴支援方法の前記特定工程は、前記ユーザの属性に合った番組を、当該ユーザの空き時間に配信されるか否かを識別して特定を行い、前記番組表作成工程は、前記ユーザの空き時間に配信される番組は当該空き時間に視聴することを示すように前記ユーザ番組表データに項目を追加し、前記ユーザの空き時間以外に配信される番組は前記空き時間に録画を視聴することを示すように前記ユーザ番組表データに項目を追加する。
【０００７】
好適には、本発明の番組視聴支援方法は、前記ユーザの属性に合った番組であって前記ユーザの空き時間以外に配信される番組を、その配信時間に録画する録画工程をさらに有する。
好適には、本発明の番組視聴支援方法の前記コメント処理工程は、予め規定された前記他ユーザのランキング情報に基づいて、当該他ユーザのコメントデータの表示形態を決定する。
好適には、好適には、本発明の番組視聴支援方法の前記コメント処理工程は、前記他ユーザの前記番組表データあるいは番組視聴履歴データに基づいて、当該他ユーザのコメントデータの表示形態を決定する。
【０００８】
本発明の広告関連処理方法は、広告画像データを受信する工程と、前記広告画像データに対してのコメントを受信する工程と、前記広告画像データの閲覧回数に基づいて、前記広告画像データのランキングを決定するランキング決定工程と、前記決定したランキングに基づいて、ウェブ画面の一部に設けられた無料広告欄を表示する広告画像を決定する決定工程とを有する。
【０００９】
本発明の広告関連処理方法の前記決定工程は、前記ウェブ画面を表示しているユーザの属性データを取得し、当該属性データと、前記広告画像データの属性データと、前記決定したランキングとに基づいて、前記無料広告欄を表示する広告画像を決定する。
【００１０】
本発明の番組視聴支援システムは、所定のユーザの番組視聴予定を示すユーザ番組表データを、ネットワークを介して予め登録している他ユーザに公開する公開手段と、前記ユーザ番組表データを基に、前記ユーザが番組を視聴している時間帯に、前記予め登録している他ユーザからのコメントデータを受信すると、当該受信したコメントデータを表示する処理を行うコメント処理手段とを有する。
【００１１】
本発明の広告関連処理システムは、広告画像データを受信する手段と、前記広告画像データに対してのコメントを受信する手段と、前記広告画像データの閲覧回数に基づいて、前記広告画像データのランキングを決定するランキング決定手段と、前記決定したランキングに基づいて、ウェブ画面の一部に設けられた無料広告欄を表示する広告画像を決定する決定手段とを有する。
【発明の効果】
【００１２】
本発明によれば、テレビ番組を視聴中に、そのテレビ番組について他ユーザとつぶやき機能を利用した会話を効率的に行うことができる番組視聴支援方法およびそのシステムを提供することができる。
また、本発明によれば、ユーザの評価が高い魅力的な広告画像・動画が、広告費用とは無関係にユーザの目に触れる機会が増えることを可能にする広告関連処理方法およびそのシステムを提供することができる。
【図面の簡単な説明】
【００１３】
【図１】図１は、本発明の第１実施形態のテレビ番組視聴支援システムの構成図である。
【図２】図２は、図１に示すテレビ番組視聴支援サーバの構成図である。
【図３】図３は、本発明の第１実施形態のユーザ番組表データを説明するための図である。
【図４】図４は、図１に示すテレビ番組視聴支援サーバの第１の動作例を説明するためのフローチャートである。
【図５】図５は、図１に示すテレビ番組視聴支援サーバの第２の動作例を説明するためのフローチャートである。
【図６】図６は、図１に示すテレビ番組視聴支援サーバの第３の動作例を説明するためのフローチャートである。
【図７】図７は、図１に示すテレビ番組視聴支援サーバの第４の動作例を説明するためのフローチャートである。
【図８】図８は、本発明の第２実施形態のシステムで用いられる広告動画表示欄を備えた画面を説明するための図である。
【図９】図９は、本発明の第２実施形態のシステムの動作例を説明するためのフローチャートである。
【発明を実施するための形態】
【００１４】
以下、本発明の実施形態について説明する。
＜第１実施形態＞
図１は、本発明のテレビ番組視聴支援システム１の構成図である。
図１に示すように、テレビ番組視聴支援システム１は、例えば、複数の端末装置４、つぶやき機能サーバ６およびテレビ番組視聴支援サーバ１０を有する。
【００１５】
端末装置４は、携帯電話等の携帯端末装置、あるいはコンピュータであり、例えば、インターネット上のサーバや、公共電波やケーブル回線を介して配信されるテレビ番組を視聴するユーザが使用する。
【００１６】
つぶやき機能サーバ６は、ユーザのつぶやき（ツイート）メッセージを端末装置４から受信し、これを予め当該ユーザを登録している他のユーザに見せる処理を行う。ツイートメッセージは、例えば、ユーザからの１４０字以内の投稿のことで、それぞれに固有のネットワーク上アドレスが割り当てられる。他ユーザの投稿を自分のタイムラインで表示できるように、ユーザを登録するフォローができる。相手に無許可で自由にできるが、相手にはフォローされたことが通知される。
【００１７】
図２は、図１に示すテレビ番組視聴支援サーバ１０の構成図である。
図２に示すように、テレビ番組視聴支援サーバ１０は、例えば、インタフェース２１、ディスプレイ２２、操作部２３、メモリ２４および処理回路２５を有し、これらがバス２０を介して接続されている。
【００１８】
インタフェース２１は、例えば、端末装置４や他のコンピュータと通信を行うために用いられる。
ディスプレイ２２は、処理回路２５が実行するデータベース処理用のプログラムＰＲＧが提供する様々な画面を表示する。
【００１９】
操作部２３は、キーボードやマウス等の操作手段であり、管理者による入力操作等を行うためのものである。
メモリ２４は、処理回路２５が実行するプログラムＰＲＧ、処理回路２５の処理に用いられるデータを一時的に記憶する。
【００２０】
処理回路１２５は、プログラムＰＲＧを実行して、テレビ番組視聴支援サーバ１０の処理を統括的に制御する。本実施形態で示されるテレビ番組視聴支援サーバ１０の処理は、プログラムＰＲＧに記述されている。
【００２１】
テレビ番組視聴支援サーバ１０は、端末装置４からの操作指示に応じて、例えば、図３に示すような登録したユーザの番組視聴予定を示すユーザ番組表データを生成し、これを記憶し、そして、所定の登録されたユーザにこれを公開する処理を行う。
【００２２】
以下、テレビ番組視聴支援システム１の動作例を説明する。
［第１の動作例］
本動作例では、ユーザ番組表データを生成し、これを公開する動作を説明する。
図４は、図１に示すテレビ番組視聴支援サーバ１０の第１の動作例を説明するためのフローチャートである。
ステップＳＴ１：
図２に示すテレビ番組視聴支援サーバ１０の処理回路２５は、テレビ番組の各チャンネルの配信スケジュールを示す配信番組表データを、所定のサーバから受信してメモリ２４に書き込む。
【００２３】
ステップＳＴ２：
ユーザは、端末装置４を操作してテレビ番組視聴支援サーバ１０にアクセスを行い、テレビ番組視聴支援サーバ１０上で、例えば図３に示すような自らのユーザ番組表データを作成する。
すなわち、処理回路２５は、端末装置４からのアクセスに応じて、ユーザ番組表作成画面を端末装置４のディスプレイに表示する。当該ユーザ番組表画面は、例えば、メモリ２４から読み出した配信番組表データを基に、ユーザが視聴する番組を選択させる。
このとき、処理回路２５は、予めメモリ２４に記憶するユーザの興味を示す属性データを基に、配信番組表データに示される番組のなかから、当該ユーザが興味を持つ可能性がある番組を強調表示するようにしてもよい。なお、処理回路２５は、このようなユーザが興味を持つ可能性がある番組を自動的に選択するようにしてもよい。
【００２４】
ステップＳＴ３：
処理回路２５は、ステップＳＴ２でユーザによって選択された番組と、端末装置４から受信した当該ユーザのスケジュールデータとを比較して、当該ユーザが視聴可能な時間帯に、当該選択された番組を視聴予定として入れたユーザ番組表データを生成し、これをメモリ２４に書き込む。
なお、処理回路２５は、ステップＳＴ２で選択された番組が、当該ユーザのスケジュールとの関係でリアルタイムに視聴ができない場合には、当該番組を録画することを示す情報をユーザ番組表データに加える。
処理回路２５は、例えば、ユーザ番組表データに基づいて、上記番組を録画する時刻になると、端末装置４に対してその旨を通知するようにしてもよい。端末装置４は、当該通知を受けて、当該番組を録画する処理を行う。
また、処理回路２５は、当該ユーザのスケジュールデータに基づいて、上記録画する番組を当該ユーザが視聴する時間帯を決定し、この情報をユーザ番組表データに追加する。
【００２５】
ステップＳＴ４：
処理回路２５は、上記作成したユーザ番組表データを、予め登録している他のユーザに公開する。例えば、当該他のユーザは、当該ユーザ番組表データのユーザのフォロワーである。
【００２６】
［第２の動作例］
本動作例では、他人のユーザ番組表データを基に自分のユーザ番組表データを更新する場合の動作を説明する。
図５は、図１に示すテレビ番組視聴支援サーバ１０の第２の動作例を説明するためのフローチャートである。
ステップＳＴ１１：
ユーザは、端末装置４を操作してテレビ番組視聴支援サーバ１０にアクセスを行い、自らが登録している他のユーザのユーザ番組表データを閲覧する。
【００２７】
ステップＳＴ１２：
ユーザは、端末装置４を操作してテレビ番組視聴支援サーバ１０にアクセスを行い、ステップＳＴ１１の閲覧結果を基に、自らのユーザ番組表データに閲覧予定のテレビ番組を追加する。
【００２８】
［第３の動作例］
本動作例では、他人のユーザ番組表データを閲覧する場合の動作を説明する。
図６は、図１に示すテレビ番組視聴支援サーバ１０の第３の動作例を説明するためのフローチャートである。
ステップＳＴ２１：
ユーザは、端末装置４を操作してテレビ番組視聴支援サーバ１０にアクセスを行い、自らが登録している他のユーザのユーザ番組表データを閲覧する。これを基に、他人が現在視聴しているテレビ番組を特定する。
【００２９】
ステップＳＴ２２：
ユーザは、例えば、ステップＳＴ１１で閲覧したユーザ番組表データを基に、他のユーザが視聴しているテレビ番組を同じ時間に視聴する。当該テレビ番組は、例えば、端末装置４の画面上で表示する。
【００３０】
ステップＳＴ２３：
ユーザは、テレビ番組を視聴しながら、つぶやき機能サーバ６の機能を利用してつぶやきメッセージを送信する。当該メッセージは、例えば、同じテレビ番組を視聴している登録している他のユーザの端末装置４の画面上に優先的に表示される。
【００３１】
［第４の動作例］
本動作例では、テレビ番組の視聴中に、他のユーザのつぶやきを表示する場合の動作例を説明する。
図７は、当該動作例を説明するためのフローチャートである。
ステップＳＴ３１：
ユーザは、端末装置４を操作してつぶやき機能サーバ６にアクセスし、自らかに関係する他人のつぶやきメッセージを受信する
【００３２】
ステップＳＴ３２：
ユーザは、例えば、テレビ番組視聴支援サーバ１０の機能を用いて端末装置４に設定された情報に基づいて、各つぶやきメッセージの表示形態を決定する。例えば、端末装置４は、当該ユーザが視聴しているテレビ番組の属性と近い属性のユーザのつぶやきメッセージや、高い評価を得ている（ランキングが高い）ユーザのつぶやきメッセージが優先的に表示されるように表示形態を決定する。
また、公開されたユーザ番組表データを基に、視聴している番組を基に考え方が近いユーザ、すなわち似たような番組を視聴しているユーザのつぶやきメッセージを優先的に表示するようにしてもよい。
【００３３】
ステップＳＴ３３：
端末装置４は、ステップＳＴ３２で決定した表示形態で他人のつぶやきメッセージを表示する。
【００３４】
以上説明したように、テレビ番組視聴支援システム１によれば、他ユーザのユーザ番組表データを閲覧することができ、同じ番組を同じ時間帯に視聴し、つぶやき機能を用いることで、他のユーザと会話をしながらテレビ番組を視聴できる。
また、テレビ番組視聴支援システム１によれば、ユーザ番組表データを公開することで、興味があるユーザが視聴するテレビ番組を知ることでき、自分の興味の幅を広げることが容易になる。例えば、有名人と一緒にテレビを見ることが可能になる。
【００３５】
＜第２実施形態＞
本実施形態では、広告画像を表示するシステムについて説明する。
本実施形態のサーバは、端末装置のディスプレイに例えば図８に示す画面１０５を表示する。
画面１０５は、ＴＶ表示欄１１０と、広告動画表示欄１２０とを有する。
広告動画表示欄１２０への広告掲載は無料であり、クリック数等の所定の基準に基づいて表示される広告動画が決定される。
【００３６】
図９は、本発明の第２実施形態のサーバを説明するための図である。
ステップＳＴ４１：
サーバは、例えば、広告動画の作成者の端末装置から、広告動画データを受信し、これをメモリに書き込む。
【００３７】
ステップＳＴ４２：
サーバは、メモリから読み出した広告動画データを、例えば、図８に示す広告動画表示欄１２０に公開（表示）する。当該公開は、無料とする。最初は、デフォルトの位置、例えば、末尾に表示する。
【００３８】
ステップＳＴ４３：
サーバは、公開した広告動画の視聴（クリック）回数をカウントし、カウンタデータをメモリに書き込む。
【００３９】
ステップＳＴ４４：
サーバは、定期的に、公開された広告動画のカウンタデータを読み出し、それらを比較して視聴回数の順で順位データを生成する。サーバは当該順位データを基に、各広告動画の表示位置を決定する。
【００４０】
ステップＳＴ４５：
サーバは、図８に示す広告動画表示欄１２０内のステップＳＴ４４で決定した表示位置に複数の広告動画を表示する。これにより、人気が高い広告動画、よりアクセスされ易い位置に表示される。
なお、図８に示す広告動画表示欄１２０は、例えば、左あるは右にスクロール可能である。また、画面１０５内における広告動画表示欄１２０の位置は一例であり、適宜変更可能である。
【００４１】
本実施形態において、サーバは、例えば、広告動画表示欄１２０に表示された各広告動画について、それを視聴したユーザからコメントデータを関連付けて記憶する。そして、ユーザは、表示された広告動画についてのコメントを公開・閲覧できる。
【００４２】
また、画面を見ているユーザ毎に広告動画の表示形態を変えてもよい。
例えば、サーバは、ウェブ画面を表示しているユーザの属性データを取得し、当該属性データと、広告動画の属性データと、上記順位データとに基づいて、広告動画表示欄１２０を表示する広告画像を決定してもよい。
【００４３】
本実施形態によれば、無料で広告動画を掲載することで、広告に係る商品やサービスの自薦や他薦が容易になる。そのため、アフィリエイトが活動しやすくなる。
また、サーバは、例えば、広告動画の視聴回数だけでなく、所定の人のひいき等を順位データに反映するようにしてもよい。
【００４４】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００４５】
本発明は、番組視聴支援、並びに広告関連処理を行うシステムに適用可能である。
【符号の説明】
【００４６】
１…テレビ番組視聴支援システム
４…端末装置
６…つぶやき機能サーバ
１０…テレビ番組視聴支援サーバ
２１…インタフェース
２２…ディスプレイ
２３…操作部
２４…メモリ
２５…処理回路
１０５…画面
１１０…ＴＶ画面
１２０…広告動画表示欄
【図１】
2012034185.tif 000003
【図２】
2012034185.tif 000004
【図３】
2012034185.tif 000005
【図４】
2012034185.tif 000006
【図５】
2012034185.tif 000007
【図６】
2012034185.tif 000008
【図７】
2012034185.tif 000009
【図８】
2012034185.tif 000010
【図９】
2012034185.tif 000011